(57)【要約】【課題】  丈の異なる人台本体を極めて少ない数の金型で安価に製造でき、しかも金型から取り出した人台本体を所望の丈に応じて切断することなく、迅速、容易かつ確実に提供する。【解決手段】  首部１、バスト部２、ウエスト部３、ヒップ部４および前記ヒップ部４から連続して延出する延出部５を有する人台形６を内部に形成した金型７と、溶融したプラスチックの流れ込みを阻止する少なくとも１個の閉塞手段８とを有する。そして溶融状態のプラスチックを前記金型７内の全体若しくは閉塞手段８の間に形成された空隙９に充填し、しかる後、再加熱して人台本体１０を発泡成形する。【選択図】図１
2005169806.tif 000002
【特許請求の範囲】
【請求項１】
内部に人台形を形成した金型と、前記人台形の所望の位置に、溶融したプラスチックの流れ込みを阻止する少なくとも１個の閉塞手段とを有する人台本体の製造装置。
【請求項２】
最長丈の人台本体を形成する際には、金型内に閉塞手段を入れずに金型を閉じ、また前記丈より短い所望丈の人台本体を形成する際には、人台形の所望位置に閉塞手段を嵌入して金型を閉じ、一方発泡剤を含有したビーズ状のプラスチックを加熱して予備発泡しておき、前者の際には前記人台形の上端から下端に至る空隙に、後者の際には前記人台形の上端から前記閉塞手段までの空隙に前記状態のプラスチックを充填し、その後、再加熱して人台本体を発泡成形することを特徴とする人台本体の製造装置の使用方法。
【請求項３】
請求項１または２において、人台形が首部、バスト部、ウエスト部、ヒップ部および前記ヒップ部から連続して延出する延出部であることを特徴とするもの。
【請求項４】
請求項１または２において、金型が１対の上下型からなり、前記上下型の一方に人台形の前半部の凹部が、また他方に人台形の後半部の凹部が穿設されたことを特徴とするもの。
【請求項５】
請求項１または２において、金型が２組の上下型からなり、１組目の上下型の一方に人台形の前半部の凸部が、また他方に人台形の前半部の凹部が形成され、さらに２組目の上下型の一方に人台形の後半部の凸部が、また他方に人台形の後半部の凹部が形成され、２組の上下型をそれぞれ閉じた際に溶融した発泡プラスチックが流入される空隙が形成されたことを特徴とするもの。
【請求項６】
請求項１または２において、閉塞手段が単数の入れ子、大きさの異なる複数の入れ子と上げ底用ブロックを固定した上げ底用入れ子の少なくとも１種類であることを特徴とするもの。
【請求項７】
請求項１または２において、閉塞手段が単数の仕切帯、複数の異径の仕切帯の少なくとも１種類であることを特徴とするもの。
【請求項８】
請求項５において、１組目および２組目の各凸部の長手方向に直交する複数の溝部が間隔をおいて形成されたことを特徴とするもの。
【請求項９】
請求項６において、各入れ子および上げ底用ブロックの上端面に補強底板が当接されたことを特徴とするもの。
【発明の詳細な説明】
【技術分野】
【０００１】
本発明は被服の陳列や製作のために使用する人台の本体製造装置およびその使用方法に関する。
【背景技術】
【０００２】
従来より丈の異なる人台を製造するには各丈に対応する金型をそれぞれ製造して成形するか、最長尺用の金型を製造して最長尺の人台本体を成形し、金型から前記人台本体を取出した後に後加工、つまり人台本体を切断して所望の丈の人台を形成していた。
【０００３】
【特許文献１】特開２０００−１６６７２６号公報
【発明の開示】
【発明が解決しようとする課題】
【０００４】
前記の従来前例によると金型数が多くなり、高価につき、また従来後例によると後加工としての人台本体の切断を必要とし、迅速、容易かつ確実に製造することができないという欠点がある。
【０００５】
本発明は前記従来例の欠点を解消することを課題とする。
【課題を解決するための手段】
【０００６】
本発明の第１の手段は内部に人台形を形成した金型と、前記人台形の所望の位置に、溶融したプラスチックの流れ込みを阻止する少なくとも１個の閉塞手段とを有するものである。
【０００７】
第２の手段は最長丈の人台本体を形成する際には、金型内に閉塞手段を入れずに金型を閉じ、また前記丈より短い所望丈の人台本体を形成する際には、人台形の所望位置に閉塞手段を嵌入して金型を閉じ、一方発泡剤を含有したビーズ状のプラスチックを加熱して予備発泡しておき、前者の際には前記人台形の上端から下端に至る空隙に、後者の際には前記人台形の上端から前記閉塞手段までの空隙に前記状態のプラスチックを充填し、その後、再加熱して人台本体を発泡成形することを特徴とするものである。
【０００８】
第３の手段は人台形が首部、バスト部、ウエスト部、ヒップ部および前記ヒップ部から連続して延出する延出部であることを特徴とするものである。
【０００９】
第４の手段は金型が１対の上下型からなり、前記上下型の一方に人台形の前半部の凹部が、また他方に人台形の後半部の凹部が穿設されたことを特徴とするものである。
【００１０】
第５の手段は金型が２組の上下型からなり、１組目の上下型の一方に人台形の前半部の凸部が、また他方に人台形の前半部の凹部が形成され、さらに２組目の上下型の一方に人台形の後半部の凸部が、また他方に人台形の後半部の凹部が形成され、２組の上下型をそれぞれ閉じた際に溶融した発泡プラスチックが流入される空隙が形成されたことを特徴とするものである。
【００１１】
第６の手段は閉塞手段が単数の入れ子、大きさの異なる複数の入れ子と上げ底用ブロックを固定した上げ底用入れ子の少なくとも１種類であることを特徴とするものである。
【００１２】
第７の手段は閉塞手段が単数の仕切帯、複数の異径の仕切帯の少なくとも１種類であることを特徴とするものである。
【００１３】
第８の手段は１組目および２組目の各凸部の長手方向に直交する複数の溝部が間隔をおいて形成されたことを特徴とするものである。
【００１４】
第９の手段は各入れ子および上げ底用ブロックの上端面に補強底板が当接されたことを特徴とするものである。
【発明の効果】
【００１５】
本発明によれば所望の丈の人台本体を多種類の金型を製造、使用することなく、しかも切断という後加工をする必要もなく、迅速、容易かつ確実に得ることができる。
【００１６】
また補強底板を上げ底用ブロックに当接し、しかも前記上げ底用ブロックを固定した上げ底用入れ子を使用して人台本体を製造した場合には、シャツ等の裾を上げ底内に折り返して止めることができ、展示服の外観を良好にしたり、前記上げ底内にスタンドのポールの締結金具等の部品を位置させて隠蔽し、外観を良好にすることができる。
【発明を実施するための最良の形態】
【００１７】
図１は第１の実施の形態で用いられる中実型人台本体の製造装置を示すものであり、符号７は金型で、上型１７と下型１８とからなり、上型１７には人台形６の後半分６ｃの凹部６ｄおよび注入孔１９が穿設され、首部１の外端には半円状の凹部２３が切欠かれ、また下型１８には人台形６の前半部６ａの凹部６ｂが穿設され、人台形６は首部１、バスト部２、ウエスト部３、ヒップ部４およびヒップ部４に連続して延出する延出部５とからなり、下型１８の首部１の外端には貫通孔２４を有する厚肉円盤２０が一体的に形成されている。延出部５の外端には透孔２１を有する右側板２２が固着されて垂直に起立し、金型７を閉じたときに下型１８のみならず上型１７の開口端を閉じるように形成されている。
【００１８】
一方、インサート部品として注入口１９に嵌入される栓２５、遊挿孔１４を有する首蓋２６、おねじ２７、透孔１１′、１２′、１３′を有する硬質プラスチック製若しくは木製で、かつ大、中、小３種類の第１の補強底板１１、第２の補強底板１２、第３の補強底板１３が具備されている。  
【００１９】
他の部品として貫通孔２４に嵌脱自在で、しかもおねじ２７を螺着するねじ孔２８′を有する突軸２８、大、小の入れ子８ｂ、８ａ、上げ底用入れ子８ｃおよび上げ底用ブロック８ｄ、ナット３２、３２が具備されている。
【００２０】
各入れ子８ａ、８ｂ、８ｃは金属製で、しかもそれぞれ透孔２９、２９′を有する小判形の薄板３０、３０′を離間するとともに四隅を4本の円柱３３、３３、３３、３３で連結したものである。なお各入れ子８ａ、８ｂ、８ｃは上記形状に限るものではなく、前面が前記薄板３０の前面のように平面に形成されていればよく、例えば前記平面状の前面を有する中実若しくは中空のブロックでもよいが、図示のような４本円柱３３、３３、３３、３３タイプのものが、安価に製造できるとともに軽量で取扱いやすく、好ましい。  
【００２１】
上げ底用ブロック８ｄは小判形の外鍔板３４に薄肉の小判形で、かつ円錐状のブロック３５が一体的に突き出され、ブロック３５に貫通孔３６が穿設され、しかも外鍔板３４の裏面に遊挿孔３１、３１に遊挿可能なボルト軸３７、３７が突設されている。
【００２２】
なお図中、符号１５は蒸気噴出棒であり、中空管１５ａに多数の噴出孔１５ｂ、１５ｂ・・・を穿設してなるものである。
【００２３】
次に前記装置の使用方法を説明すれば、図２〜４および図８で示すようにいずれも厚肉円盤２０に首蓋２６を当接するとともに突軸２８を貫通孔２４に嵌入し、突軸２８のねじ孔２８′におねじ２７を螺着する。
【００２４】
具体的には図５で示す最長尺の人台本体１０を得たい場合には、図２・８の実線で示すように下型１８に閉塞手段８を入れず右側板２２の内向面に第１の補強底板１１を当接し、また前記最長尺以外の所望の丈の人台本体１０、例えば図６で示すヒップ部４までの人台本体１０を得たい場合には、図３の実線で示すように入れ子８ａの薄板３０′を右側板２２の内向面に当接して下型１８に嵌入し、図６の仮想線で示すようにウエスト部３近傍までの人台本体１０を得たい場合には、図３で示すように右側板２２の内向面に仮想線で示す入れ子８ｂの薄板３０′を当接して下型１８に嵌入し、また図７のように上げ底１６を有する人台本体１０を得たい場合には、図４、図１で示すように上げ底用ブロック８ｄの各ボルト３７を各遊挿孔３１に挿入し、ナット３２締めした上げ底用入れ子８ｃの薄板３０′を右側板２２の内向面に当接して下型１８に入れる。
【００２５】
また入れ子８ａ、入れ子８ｂの各薄板３０の内向面には第１の補強底板１１、第２の補強底板１２を、また上げ底用ブロック８ｄの内向面には第３の補強底板１３を当接する。なお入れ子８ａ、８ｂ、８ｃの各薄板３０および各底板１１、１２は人台形６の各位置の輪郭面に添接する大きさに形成してある。
【００２６】
そして最長尺の人台本体１０を形成する際には閉塞手段８を下型１８内に入れず、前記丈より短い所望丈の人台本体１０を形成する際には、人台形６の前記所望のいずれかの位置に閉塞手段８を下型１８内に入れ、しかる後、蒸気噴出棒１５を透孔２１、１１′、透孔２１、２９′、２９、１１′若しくは透孔２１、２９′、２９、１２′若しくは透孔２１、２９′、２９、３６、１３′に貫通する。次に図８で示すように下型１８と上型１７とを閉じ、発泡剤を含有したビーズ状のプラスチック、具体的にはスチロール樹脂Ｐをいったん加熱して予備発泡し、注入孔１９から空隙９に充填し、栓２５で注入孔１９を閉栓した後、蒸気噴出棒１５に蒸気を送り込み、噴出孔１５ｂ、１５ｂ・・・・・から蒸気を噴出させて再加熱し、発泡成形された人台本体１０を形成する。その後、蒸気噴出棒１５および栓２５、突軸２８を抜き、離型する。続いて入れ子８ａ、８ｂ、上げ底用入れ子８ｃを入れた場合にはそれらを取外す。このとき第１の補強底板１１、第２の補強底板１２、第３の補強底板１３はそれぞれ右側板２２、入れ子８ａ、８ｂ、上げ底用ブロック８ｄに当接しているだけなのでインサートされて人台本体１０に固着する。首蓋２６、おねじ２７も同様にインサートされているので人台本体１０と一体になる。
【００２７】
このようにして図５〜７で示すように丈が異なったり、上げ底１６を有する所望の人台本体１０を得ることができる。
【００２８】
なお前記人台本体１０は載置タイプとして使用しても、また蒸気噴出棒１５により形成された孔３９にスタンドパイプ４０を挿入してスタンド付き人台として使用してもよく、上げ底１６を有する人台本体１０には上げ底１６内にワイシャツの裾を折り込んで止めたり、スタンドパイプの締結金具を入れて外部から遮蔽してもよい。
【００２９】
次に第２の実施の形態を説明する。第２の実施の形態は第１の実施の形態と基本的には同一の発想によるものであり、主に両者の差異点を述べることによりその内容を明らかにし、同一部分については図に同一符号を付すことにより重複説明を省略する。
【００３０】
第１の実施の形態（以下、前者とする）が中実型の人台本体を得る手段であるのに対し、第２の実施の形態（以下、後者という）は中空型の人台本体を得る手段であり、そのため前者の金型７は上型１７、下型１８の１組であるが、後者の金型７は人台形６の前半部６ａを形成するための上型１７ａ、下型１８ａ（図９で示す）と、後半部６ｃを形成するための上型１７ｂ、下型１８ｂ（図１１で示す）との２組で構成されている。
【００３１】
図９・１１で示すように下型１８ａ、１８ｂにはそれぞれ人台形６として前半部６ａ、後半部６ｃの凸部６ｆ、６ｊが形成され、凸部６ｆ、６ｊの長手方向に直交する４個の半円状の溝部６０ａ、６０ｂ、６０ｃ、６０ｄが間隔をおいて形成され、同様に３組のねじ孔８０ａ、８０ｂ、８０ｃが螺設され、凸部６ｆ、６ｊには注入口１９が貫通され、下型１８ａ、１８ｂには図９〜１２に示す蒸気噴出管１５ａ、１５ｂが取付けられるとともに蒸気噴出管１５ａ、１５ｂに連通するパイプ状孔１５ｃが穿設され、凸部６ｆ、６ｊにはパイプ状孔１５ｃに連通する針穴状の噴出孔１５ｄ、１５ｄ・・・が穿設されている。なお本説明の便宜上、前記図では噴出孔１５ｄを他の部材に比べ大きく描いたものである。また下型１８ａ、１８ｂの首部１には半円状の突軸２０ｃを一体形成し、さらに下型１８ｂの突軸２０ｃには蒲鉾形凸部２０ａを一体形成する。
【００３２】
上型１７ａ、１７ｂには人台形６として前半部６ａ、後半部６ｃの凸部６ｆ、６ｊよりひと回り大きく、図１７、１８で示すように型締めをした際に空隙９が形成される大きさの凹部６ｈ、６ｇが穿設されている。
さらに上型１７ｂの端部には凸部２０ａに嵌合する凹部２０ｂが穿設されている。
【００３３】
また閉塞手段８として断面略Ｌ字かつ半円状で、しかも異径の仕切帯８ｅ、８ｆ、８ｇが具備され、各仕切帯８ｅ、８ｆ、８ｇにはおねじ８１、８１の遊挿孔８２、８２が形成されている。なお後半部６ｃ用の仕切帯８ｆ、８ｇの形状は背中の形状に対応するように半円の中央が部分的に窪んでいる。
【００３４】
次に前記装置の使用方法を説明すれば、図１３、１４で示すように最長尺の人台本体１０の前半部１０ａおよび後半部１０ｂを形成する際には図１７、１８で示すように閉塞手段８を下型１８ａ、１８ｂ内に入れず、前記丈より短い所望丈の人台本体１０を形成する際には、図１０、１２、２０、２１で示すように人台形６の前記所望のいずれかの位置に閉塞手段８を下型１８ａ、１８ｂに外嵌してねじ８１止めする。次に図示のように下型１８ａ、１８ｂと上型１７ａ、１７ｂとを閉じ、発泡剤を含有したビーズ状のプラスチック、具体的にはスチロール樹脂Ｐをいったん加熱して予備発泡し、注入孔１９から空隙９に充填し、栓２５で注入孔１９を閉栓した後、蒸気噴出管１５ａ、１５ｂからパイプ状孔１５ｃに蒸気を送り込み、針穴状の噴出孔１５ｄ、１５ｄ・・・・・から蒸気を噴出させて再加熱し、発泡成形された人台本体１０を形成する。その後、栓２５を抜き、離型する。続いて閉塞手段８としての仕切帯８ｅ〜８ｇを入れた場合にはそれらを取外す。このとき溝部６０ａ〜６０ｄにより形成されたプラスチック部分により補強用の内鍔６１、６１、６１・・・・・が形成される。なお図２０、２１において１点鎖線、２点鎖線で示す閉塞手段８はこれを他の高さ位置に取付けた状態を示すものである。また図１３、１４は最長尺の人台本体１０の前半部１０ａ、後半部１０ｂを、さらに図１５、１６は所望丈の人台本体１０の前・後半部１０ａ、１０ｂを示しており、図１５、１６中の１点鎖線、２点鎖線は実線以外の所望丈の場合を示している。
【００３５】
このようにして成形した前半部１０ａと後半部１０ｂとを合体するには図１９、２２で示すように首部分１ａに形成された貫通孔１ｂに頭付きめねじ３１を入れて前記めねじ３１の頭部３１ａを段部６２に係止するとともに前半部１０ａと後半部１０ｂとを接着により一体化する。しかる後、遊挿孔５０を有する補強底板５１を人台本体１０の底方から入れて内鍔６１に接着して中空の人台本体１０を形成する。
【００３６】
なおこの人台本体１０を載置用にするか、スタンド用にするかは第１の実施の形態の場合と同一である。
【００３７】
なお人台形６の形状は前記首部１〜延出部５に至る場合に限定するものではなく、例えば上端が頭部形状、延出部５が他の形状である等、所望の形状であってもよい。
【図面の簡単な説明】
【００３８】
【図１】本発明の第１の実施の形態を示す分解斜視図である。
【図２】同上において最長寸の人台本体を製造するときの下型の組立斜視図である。
【図３】同上における入れ子を入れた状態の下型の組立斜視図である。
【図４】同上における上げ底用入れ子を入れた状態の下型の組立斜視図である。
【図５】最長寸に成形された人台本体の斜視図である。
【図６】入れ子の使用により形成された人台本体の斜視図である。
【図７】上げ底用入れ子の使用により形成された人台本体の斜視図である。
【図８】同上における本発明装置の使用方法の概略説明図である。
【図９】本発明の第２の実施の形態における前半部の分解斜視図である。
【図１０】同上における下型の組立斜視図である。
【図１１】同上における後半部の分解斜視図である。
【図１２】同上における下型の組立斜視図である。
【図１３】同上における前半部を最長寸に成形した状態の斜視図である。
【図１４】同上における後半部を最長寸に成形した状態の斜視図である。
【図１５】同上において前半部の丈寸を異にするように成形した状態の斜視図である。
【図１６】同上において後半部の丈寸を異にするように成形した状態の斜視図である。
【図１７】同上における前半部を最長に成形する場合の概略説明図である。
【図１８】同上における後半部を最長に成形する場合の概略説明図である。
【図１９】同上における最長寸の人台の組立方法の説明図である。
【図２０】同上における前半部の寸丈を異にするように成形する方法の説明図である。
【図２１】同上における後半部の寸丈を異にするように成形する方法の説明図である。
【図２２】同上における丈寸を異にする人台本体の組立方法を示す説明図である。
【符号の説明】
【００３９】
１    首部
２    バスト部
３    ウエスト部
４    ヒップ部
５    延出部
６    人台形
６ａ  前半部
６ｂ  凹部
６ｃ  後半部
６ｄ  凹部
６ｅ  前半部
６ｆ  凸部
６ｇ  凹部
６ｈ  凹部
６ｉ  後半部
６ｊ  凸部
７  金型
８    閉塞手段
８ａ  入れ子
８ｂ  入れ子
８ｃ  上げ底用入れ子
８ｄ  上げ底用ブロック
８ｅ  仕切帯
８ｆ  仕切帯
８ｇ  仕切帯
９  空隙
１０  人台本体
１１  補強底板
１２  補強底板
１３  補強底板
１７  上型
１７ａ  上型
１７ｂ  上型
１８  下型
１８ａ  下型
１８ｂ  下型
６０ａ  溝部
６０ｂ  溝部
６０ｃ  溝部
６０ｄ  溝部
Ｐ  プラスチック
【図１】
2005169806.tif 000003
【図２】
2005169806.tif 000004
【図３】
2005169806.tif 000005
【図４】
2005169806.tif 000006
【図５】
2005169806.tif 000007
【図６】
2005169806.tif 000008
【図７】
2005169806.tif 000009
【図８】
2005169806.tif 000010
【図９】
2005169806.tif 000011
【図１０】
2005169806.tif 000012
【図１１】
2005169806.tif 000013
【図１２】
2005169806.tif 000014
【図１３】
2005169806.tif 000015
【図１４】
2005169806.tif 000016
【図１５】
2005169806.tif 000017
【図１６】
2005169806.tif 000018
【図１７】
2005169806.tif 000019
【図１８】
2005169806.tif 000020
【図１９】
2005169806.tif 000021
【図２０】
2005169806.tif 000022
【図２１】
2005169806.tif 000023
【図２２】
2005169806.tif 000024